(57)【要約】【課題】光源駆動装置及び電源装置の双方を効率的に冷却できるプロジェクターを提供する。【解決手段】プロジェクター１は、光源駆動装置６及び電源装置７の他、軸流ファン５と、軸流ファン５から吐出された空気を光源駆動装置６に導く第１流路Ｒ１、及び電源装置７に導く第２流路Ｒ２を有するダクト部材８とを備える。第１流路Ｒ１及び第２流路Ｒ２は、略平行となるように設定されている。ダクト部材８には、第１流路Ｒ１を辿って流通した後の空気を第２流路Ｒ２に合流させ、電源装置７における第２流路Ｒ２の下流側に配設される下流側回路素子７１Ａに導く整流部８１３が設けられている。【選択図】図５
2012008188.tif 000002
【特許請求の範囲】
【請求項１】
光源装置と、前記光源装置から出射された光束を変調する光変調装置と、前記光変調装置にて変調された光束を投射する投射光学装置とを備えたプロジェクターであって、
前記光源装置を駆動する光源駆動装置と、
前記光源駆動装置に電力を供給する電源装置と、
ファン回転軸に沿って空気を吸入及び吐出する軸流ファンと、
前記軸流ファンから吐出された空気を前記光源駆動装置に導く第１流路、及び前記電源装置に導く第２流路を有するダクト部材とを備え、
前記第１流路及び前記第２流路は、
略平行となるように設定され、
前記ダクト部材には、
前記第１流路を辿って流通した後の空気を前記第２流路に合流させ、前記電源装置における前記第２流路の下流側に配設される下流側回路素子に導く整流部が設けられている
ことを特徴とするプロジェクター。
【請求項２】
請求項１に記載のプロジェクターにおいて、
前記下流側回路素子は、
前記第１流路及び前記第２流路の合流位置から離間した位置に配設されている
ことを特徴とするプロジェクター。
【請求項３】
請求項１または請求項２に記載のプロジェクターにおいて、
前記ダクト部材は、
一端から空気を導入して他端から排出する筒状に形成され、
前記整流部は、
前記他端の一部を閉塞するように形成されている
ことを特徴とするプロジェクター。
【請求項４】
請求項１から請求項３のいずれかに記載のプロジェクターにおいて、
前記ダクト部材における前記第２流路を形成する側壁部分の一部には、
前記下流側回路素子の基端部分に向けて空気を整流する傾斜面が形成され、
前記整流部は、
前記下流側回路素子の先端部分に向けて空気を導く
ことを特徴とするプロジェクター。
【発明の詳細な説明】
【技術分野】
【０００１】
本発明は、プロジェクターに関する。
【背景技術】
【０００２】
従来、プロジェクターにおいて、光源装置を駆動する光源駆動装置（ランプ駆動ブロック）、及び光源駆動装置に電力を供給する電源装置の冷却構造として、２つの筒部材に光源駆動装置及び電源装置をそれぞれ収納し、各筒部材内部に空気を流通させる構造が提案されている（例えば、特許文献１参照）。
特許文献１に記載の冷却構造では、各筒部材を略平行となるように配設するとともに、各筒部材の一端側から空気を導入するように軸流ファンを配設している。
このような冷却構造を採用すれば、光源駆動装置及び電源装置を近接して配設した状態で単体の軸流ファンにより双方を冷却できるため、プロジェクター内部の省スペース化が図れる。
【先行技術文献】
【特許文献】
【０００３】
【特許文献１】特開２００３−２１５７１１号公報
【発明の概要】
【発明が解決しようとする課題】
【０００４】
しかしながら、特許文献１に記載の冷却構造では、光源駆動装置及び電源装置の２部材に対して一つの軸流ファンを採用しているため、以下に示すように、光源駆動装置及び電源装置の双方を効率的に冷却することが難しい、という問題がある。
すなわち、電源装置は、光源駆動装置よりもサイズが大きいものである。
そして、電源装置を効率的に冷却するには、電源装置において、軸流ファンの配設位置から離間した位置に配設される回路素子（下流側回路素子）に対しても十分な送風量で空気を送風することが要求される。しかしながら、下流側回路素子に対しても十分な送風量で空気を送風するように設定すると、光源駆動装置への送風量が少なくなり、光源駆動装置を効率的に冷却できない。
【０００５】
本発明の目的は、光源駆動装置及び電源装置の双方を効率的に冷却できるプロジェクターを提供することにある。
【課題を解決するための手段】
【０００６】
本発明のプロジェクターは、光源装置と、前記光源装置から出射された光束を変調する光変調装置と、前記光変調装置にて変調された光束を投射する投射光学装置とを備えたプロジェクターであって、前記光源装置を駆動する光源駆動装置と、前記光源駆動装置に電力を供給する電源装置と、ファン回転軸に沿って空気を吸入及び吐出する軸流ファンと、前記軸流ファンから吐出された空気を前記光源駆動装置に導く第１流路、及び前記電源装置に導く第２流路を有するダクト部材とを備え、前記第１流路及び前記第２流路は、略平行となるように設定され、前記ダクト部材には、前記第１流路を辿って流通した後の空気を前記第２流路に合流させ、前記電源装置における前記第２流路の下流側に配設される下流側回路素子に導く整流部が設けられていることを特徴とする。
【０００７】
本発明では、ダクト部材には上述した整流部が設けられている。このことにより、電源装置における第２流路の下流側に配設された下流側回路素子に対して、第２流路を辿った後の空気の他、整流部により、第１流路を辿った後の空気も送風されることとなる。
したがって、第１流路を辿る空気により光源駆動装置を冷却できるとともに、第２流路の他、第１流路を辿った後の空気により電源装置を冷却でき、双方を効率的に冷却できる。
【０００８】
本発明のプロジェクターでは、前記下流側回路素子は、前記第１流路及び前記第２流路の合流位置から離間した位置に配設されていることが好ましい。
本発明では、下流側回路素子が上述した位置に配設されているので、第１流路を辿った後の空気が第２流路に合流する際に、下流側回路素子が障壁となることがなく、整流部により、第１流路を辿った後の空気を効果的に第２流路に合流させることができる。
【０００９】
本発明のプロジェクターでは、前記ダクト部材は、一端から空気を導入して他端から排出する筒状に形成され、前記整流部は、前記他端の一部を閉塞するように形成されていることが好ましい。
本発明では、整流部がダクト部材の他端の一部を閉塞するように形成されているので、第１流路を辿った後の空気の一部は、ダクト部材の他端から排出される。そして、他の空気は、整流部により、第２流路に合流するように整流される。
すなわち、整流部がダクト部材の他端全体を閉塞する構造と比較して、ダクト部材内部の静圧を高くすることがなく、軸流ファンからダクト部材内部に吐出され第１流路を辿る空気の風量を十分に確保できる。
【００１０】
本発明のプロジェクターでは、前記ダクト部材における前記第２流路を形成する側壁部分の一部には、前記下流側回路素子の基端部分に向けて空気を整流する傾斜面が形成され、前記整流部は、前記下流側回路素子の先端部分に向けて空気を導くことが好ましい。
本発明では、上述した傾斜面及び整流部により、下流側回路素子の基端部分（プリント配線基板側）および先端部分にそれぞれ空気が送風されるので、下流側回路素子を効果的に冷却できる。
【図面の簡単な説明】
【００１１】
【図１】本実施形態におけるプロジェクターの内部構成を模式的に示す平面図。
【図２】本実施形態における電源ユニットの構成を示す図。
【図３】本実施形態における電源ユニットの構成を示す図。
【図４】本実施形態における電源ユニットの構成を示す図。
【図５】本実施形態における電源ユニットの冷却流路を説明するための図。
【発明を実施するための形態】
【００１２】
以下、本発明の実施の一形態を図面に基づいて説明する。
〔プロジェクターの構成〕
図１は、本実施形態におけるプロジェクター１の内部構成を模式的に示す平面図である。
なお、図１に示す矢印は、外装筐体２内部を流通する空気の流路を示している。
以下では、説明の便宜上、後述する投射レンズ３Ｃが配置される側を「前面」とし、その反対側を「背面」とする。
プロジェクター１は、画像を投射してスクリーン（図示略）上に投影画像を表示する。このプロジェクター１は、図１に示すように、外装を構成する外装筐体２と、光学ユニット３と、電源ユニット４等を備える。
【００１３】
〔外装筐体の構成〕
外装筐体２は、図１に示すように、前面側に位置する前壁部２１と、背面側に位置する後壁部２２と、前面側から見て左側及び右側にそれぞれ位置する左壁部２３及び右壁部２４と、上側及び下側にそれぞれ位置する天面部（図示略）及び底面部２５とを備え、略直方体形状を有する。
この外装筐体２において、前壁部２１の略中央位置には、図１に示すように、投射レンズ３Ｃの一部を外部に露出させるための露出用開口部２１Ａが形成されている。
また、前壁部２１において、露出用開口部２１Ａに対して前面側から見て左側には、外部の空気を内部に取り込むための吸気口２１Ｂが形成されている。
さらに、前壁部２１において、露出用開口部２１Ａに対して前面側から見て右側には、内部の空気を外部に排出するための排気口２１Ｃが形成されている。
【００１４】
〔光学ユニットの構成〕
光学ユニット３は、右壁部２４側から後壁部２２に沿って延出するとともに、露出用開口部２１Ａに向けて延出する平面視略Ｌ字形状を有する。
この光学ユニット３は、種々の一般的なプロジェクターで利用されているため、具体的な図示及び説明は省略するが、図１に示すように、光源ランプを有する光源装置３Ａと、光源装置３Ａから出射された光束を変調する液晶パネル等の光変調装置３Ｂと、光変調装置３Ｂにて変調された光束を投射する投射光学装置としての投射レンズ３Ｃ等を備える。
【００１５】
〔電源ユニットの構成〕
図２ないし図４は、電源ユニット４の構成を示す図である。具体的に、図２は、前面側から見た斜視図である。図３は、背面側から見た斜視図である。図４は、背面側から見た分解斜視図である。
電源ユニット４は、図１に示すように、光学ユニット３に対して前面側から見て左側に配設される。
この電源ユニット４は、図２ないし図４に示すように、軸流ファン５（図２、図４）と、光源駆動装置６（図３、図４）と、電源装置７（図３、図４）と、ダクト部材８とを備える。
軸流ファン５は、図２または図４に示すように、ファン回転軸Ａｘに沿って空気を吸入及び吐出する。
【００１６】
電源装置７は、外部から図示しない電源ケーブルを介して商用電源から交流電力を入力し、交流電力を整流及び平滑化して光源駆動装置６等に必要な電圧値の直流電力に変換して出力する。
この電源装置７は、図３または図４に示すように、下流側回路素子としてのトランス７１Ａ、及び複数の半導体素子７１Ｂ（図５参照）等の複数の回路素子７１と、複数の回路素子７１が実装される平面視矩形状のプリント配線基板７２と、プリント配線基板７２や半導体素子７１Ｂの熱を放熱する放熱部７３とを備える。
【００１７】
放熱部７３は、図４に示すように、板体７３１と複数の突条部７３２とを備えた所謂ヒートシンクで構成されている。
板体７３１は、プリント配線基板７２から起立し、プリント配線基板７２の長手方向に沿って直線状に延出するように形成されている。そして、板体７３１は、複数の半導体素子７１Ｂに熱伝達可能に接続する。すなわち、複数の半導体素子７１Ｂは、板体７３１に沿って直線状に並設されている。
複数の突条部７３２は、板体７３１における一方の板面に並設され、プリント配線基板７２に対して平行となるように設けられている。
【００１８】
光源駆動装置６は、電源装置７からの直流電力に基づいて、光源装置３Ａを点灯駆動させる。この光源駆動装置６は、電源装置７から入力した直流電圧を適切な直流電圧に降圧させるダウンチョッパー（チョッパー回路）、ダウンチョッパーから供給される直流電流を所定の周波数の交流電流に変換して光源装置３Ａに供給するインバーター（フルブリッジ回路）、及び光源装置３Ａの始動時に高電圧のパルス電圧を印加するイグナイター（昇圧回路）等を備える。そして、この光源駆動装置６は、図４に示すように、前記各回路を構成するために、複数の回路素子６１と、複数の回路素子６１が実装される平面視矩形状のプリント配線基板６２とを備える。
【００１９】
ダクト部材８は、軸流ファン５から吐出された空気を各部材６，７に流通させるダクトとしての機能とともに、各部材５〜７を保持する機能も有する。
このダクト部材８は、図２ないし図４に示すように、ダクト本体８１と、第１シールド板８２と、第２シールド板８３と、第３シールド板８４と、第１絶縁板８５と、第２絶縁板８６と、ファン保持部材８７とを備える。
ダクト本体８１は、図４に示すように、平面視略矩形状の板体８１Ａと、板体８１Ａにおける対向する各端縁から上方側に向けて起立した第１側壁部８１Ｂ及び第２側壁部８１Ｃとを備え、略Ｕ字形状を有する。そして、ダクト本体８１は、板体８１Ａが下方側に位置し、各側壁部８１Ｂ，８１Ｃが前後方向（前面側から背面側への方向）に沿うように、外装筐体２内部に固定される。
【００２０】
この板体８１Ａの前面側端部において、背面側から見て右側（第１側壁部８１Ｂ側）には、図４に示すように、嵌合部８１１が形成されている。
この嵌合部８１１は、軸流ファン５の下方側が嵌合する部分である。そして、軸流ファン５は、嵌合部８１１に嵌合することで、ファン回転軸Ａｘが前後方向に沿うように配設される。
また、板体８１Ａの上面において、背面側から見て、左右方向の略中心部分には、図４に示すように、上方側に向けて膨出し、前面側端部から背面側端部に近接する位置まで延びる平面視矩形状の膨出部８１２が形成されている。
【００２１】
この膨出部８１２の上面は、図４に示すように、平坦面８１２Ａと傾斜面８１２Ｂとに区画されている。
なお、平坦面８１２Ａ及び傾斜面８１２Ｂの区画位置は、図４に示すように、背面側から見て、嵌合部８１１における左側の端部位置と略重なる位置に設定されている。
平坦面８１２Ａは、背面側から見て、膨出部８１２上面における左側の領域に形成され、水平面に平行するように形成されている。
傾斜面８１２Ｂは、背面側から見て、膨出部８１２上面における右側の領域に形成され、水平面に対して傾斜するように形成されている。
より具体的に、傾斜面８１２Ｂは、背面側に向うにしたがって上方側に傾斜している。
また、膨出部８１２の上面には、図４に示すように、平坦面８１２Ａ及び傾斜面８１２Ｂの区画位置から起立し、前面側の端部位置から前後方向の略中心位置まで側壁部８１Ｂ，８１Ｃに略平行となるように延出した仕切壁部８１２Ｃが形成されている。
【００２２】
さらに、板体８１Ａには、図４に示すように、背面側端部から上方に起立した第１整流部８１３が形成されている。
第１整流部８１３は、第１側壁部８１Ｂに接続し、平面視で曲線を描くように第２側壁部８１Ｃに向けて延出するように形成されている。
なお、第１整流部８１３の高さは、第１側壁部８１Ｂよりも低く、傾斜面８１２Ｂにおける背面側端部と略同一となるように設定されている。
そして、ダクト本体８１には、図４に示すように、上述した板体８１Ａ、膨出部８１２の側壁、第１側壁部８１Ｂ、及び第１整流部８１３により、前面側から背面側に向けて延び、さらに第２側壁部８１Ｃ側に屈曲して延びる平面視略Ｌ字状の溝部８１Ｄが形成される。
この溝部８１Ｄにおいて、第２側壁部８１Ｃ側の他端位置には、図４に示すように、板体８１Ａ上面から起立し、膨出部８１２の側壁、及び第１整流部８１３に接続する曲面状の第２整流部８１４が形成されている。
【００２３】
そして、光源駆動装置６は、複数の回路素子６１が第２側壁部８１Ｃ側に向く姿勢でプリント配線基板６２が第１側壁部８１Ｂに支持される。この状態では、光源駆動装置６の一部は、溝部８１Ｄに入り込んだ状態となる。
また、電源装置７は、複数の回路素子７１が下方側に向き、放熱部７３が前後方向に沿う姿勢で、ダクト本体８１に配設される。この状態では、放熱部７３は、傾斜面８１２Ｂの上方側に位置付けられた状態となる。
【００２４】
第１シールド板８２は、電磁波を遮蔽するシールド材を含んで構成され、図４に示すように、第１基部８２１と、一対の第１起立部８２２，８２３とを備え、側面視略コ字形状を有する。
第１基部８２１は、ダクト本体８１に電源装置７が配設された状態で、プリント配線基板７２の上方側を覆う。
一対の第１起立部８２２，８２３は、第１基部８２１の互いに対向する両端縁から下方側に起立し、プリント配線基板７２における背面側から見て左右両側をそれぞれ覆う。
そして、第１シールド板８２は、ダクト本体８１に取り付けられた際、背面側から見て右側の第１起立部８２２が第１側壁部８１Ｂに平行した状態で一部が溝部８１Ｄに入り込み、光源駆動装置６と電源装置７とを区画する。
【００２５】
第２シールド板８３は、第１シールド板８２と同様に電磁波を遮蔽するシールド材を含んで構成され、図４に示すように、第２基部８３１と、第２起立部８３２とを備え、側面視略Ｌ字形状を有する。
第２基部８３１は、板体８１Ａの下方側を覆う。
第２起立部８３２は、第２基部８３１の外周縁から上方側に起立し、第１側壁部８１Ｂにおける背面側から見て右側を覆う。
【００２６】
第３シールド板８４は、第１，第２シールド板８２，８３と同様に電磁波を遮蔽するシールド材を含んで構成されている。
そして、第３シールド板８４は、ダクト本体８１に取り付けられた際、光源駆動装置６の上方側を覆う。
以上説明した各シールド板８２〜８４としては、シールド材を含んで構成されていれば、いずれの材料を採用しても構わない。例えば、各シールド板８２〜８４としては、樹脂中に金属粉末やＣｕ等の金属繊維、炭素繊維あるいはガラス繊維に金属メッキしたフィラーを分散させたものや、樹脂の表面に金属蒸着処理、金属膜を取り付ける、あるいは、金属粉末等を含んだ導電性の塗料を塗布したもの等を採用できる。また、Ｔｉ、Ｖ、Ｃｒ、Ｚｒ、Ｎｂ、Ｍｏ、Ｈｆ、Ｔａ、Ｗ、Ｆｅ、Ｎｉ、Ｃｏ、Ｃｕ、Ａｌ、Ｍｇ、Ｚｎ、及びこれらの合金、ステンレス鋼、パーマロイ等を採用しても構わない。
【００２７】
第１絶縁板８５は、第１シールド板８２と電源装置７との電気的な接続を回避する部材であり、図４に示すように、第１シールド板８２と略同様の形状を有し、第１シールド板８２と電源装置７との間に介装される。
第２絶縁板８６は、第１シールド板８２や第３シールド板８４と光源駆動装置６との電気的な接続を回避する部材であり、図４に示すように、第１起立部８２２及び第３シールド板８４に沿う側面視略Ｌ字形状を有し、第１シールド板８２及び第３シールド板８４と光源駆動装置６との間に介装される。
【００２８】
ファン保持部材８７は、嵌合部８１１に取り付けられることで軸流ファン５の外周を囲み、当該軸流ファン５をダクト本体８１に固定する部材である。
【００２９】
〔電源ユニットの冷却流路〕
次に、上述した電源ユニット４の冷却流路について説明する。
図５は、電源ユニット４の冷却流路を説明するための図である。具体的に、電源ユニット４を模式的に示した上方側からの平面図である。
外装筐体２外部の空気は、軸流ファン５の駆動により、吸気口２１Ｂを介して、外装筐体２内部に引き寄せられる。
軸流ファン５に吸入され、背面側に向けて吐出された空気の一部は、第１側壁部８１Ｂ、溝部８１Ｄ、及び第２絶縁板８６にて囲まれた筒状の空間に導入され、前面側から背面側に向う第１流路Ｒ１（図５）に沿って流通する。
そして、第１流路Ｒ１に沿って空気が流通することで、光源駆動装置６が冷却される。
【００３０】
一方、軸流ファン５から背面側に向けて吐出された他の空気は、傾斜面８１２Ｂ、仕切壁部８１２Ｃ、及び第１絶縁板８５にて囲まれた筒状の空間に導入され、傾斜面８１２Ｂに沿って前面側から背面側に向う（第１流路Ｒ１に略平行する）第２流路Ｒ２（図５）に沿って流通する。
そして、第２流路Ｒ２に沿って空気が流通することで、当該空気により直接、あるいは、放熱部７３を介して、複数の半導体素子７１Ｂが冷却される。
【００３１】
そして、第１流路Ｒ１を辿った後の空気の一部は、電源ユニット４の背面側から外部に排出される。
また、他の空気は、第１整流部８１３に衝突し、溝部８１Ｄに沿って背面側から見て右側から左側に向けて流通し、第２流路Ｒ２に合流する。そして、第２流路Ｒ２に合流した後の空気は、第２整流部８１４により下方側から上方側に向けて整流され、トランス７１Ａの先端部分に送風される。
すなわち、第１整流部８１３は、背面側から見て、第１側壁部８１Ｂ、溝部８１Ｄ、及び第２絶縁板８６にて囲まれた筒状の空間の一部を閉塞するように形成されている（図３）。
【００３２】
ここで、第２流路Ｒ２に沿って流通する空気は、傾斜面８１２Ｂにより、前面側から背面側にかけて徐々に上方側に向けて整流される。
そして、上方側に向けて整流された空気の一部は、電源ユニット４の背面側から外部に排出される。
また、他の空気は、第１流路Ｒ１を辿った後の空気の流れによって、背面側から見て右側から左側に向けて流通し、トランス７１Ａの基端部分（プリント配線基板７２側）に送風される。
以上のように、トランス７１Ａは、図５に示すように、第１流路Ｒ１及び第２流路Ｒ２の合流位置Ｐから離間し、複数の半導体素子７１Ｂの並設方向の延長線上からずれた位置に配設されている。また、トランス７１Ａは、平面視で第２整流部８１４に重なる位置に配設されている。
【００３３】
そして、電源ユニット４を冷却した後の空気は、光学ユニット３の背面側に配設された冷却ファン９（図１）により吸入される。冷却ファン９から吐出された空気は、光源装置３Ａに向けて送風され、光源装置３Ａを冷却した後、排気ファン１０（図１）により吸入される。排気ファン１０から吐出された空気は、排気口２１Ｃを介して外装筐体２外部に排出される。
【００３４】
上述した本実施形態によれば、以下の効果がある。
ダクト部材８には第１整流部８１３が設けられている。このことにより、電源装置７における第２流路Ｒ２の下流側に配設されたトランス７１Ａに対して、第２流路Ｒ２を辿った後の空気の他、第１整流部８１３により、第１流路Ｒ１を辿った後の空気も送風されることとなる。
したがって、第１流路Ｒ１を辿る空気により光源駆動装置６を冷却できるとともに、第２流路Ｒ２の他、第１流路Ｒ１を辿った後の空気により電源装置７を冷却でき、双方を効率的に冷却できる。
【００３５】
また、トランス７１Ａが合流位置Ｐから離間した位置に配設されているので、第１流路Ｒ１を辿った後の空気が第２流路Ｒ２に合流する際に、トランス７１Ａが障壁となることがなく、第１整流部８１３により、第１流路Ｒ１を辿った後の空気を効果的に第２流路Ｒ２に合流させることができる。
【００３６】
さらに、第１整流部８１３が第１側壁部８１Ｂ、溝部８１Ｄ、及び第２絶縁板８６にて囲まれた筒状の空間の一部を閉塞するように形成されているので、第１流路Ｒ１を辿った後の空気の一部のみを第１整流部８１３により第２流路Ｒ２に合流するように整流できる。
すなわち、第１整流部８１３が上記筒状の空間全体を閉塞する構造と比較して、ダクト部材８内部の静圧を高くすることがなく、軸流ファン５からダクト部材８内部に吐出され第１流路Ｒ１を辿る空気の風量を十分に確保できる。
【００３７】
また、傾斜面８１２Ｂ及び第１整流部８１３により、トランス７１Ａの基端部分及び先端部分にそれぞれ空気が送風されるので、トランス７１Ａを効果的に冷却できる。
特に、傾斜面８１２Ｂからトランス７１Ａに送風される空気は、ダクト部材８内部において上方側を流通する。また、第１整流部８１３によりトランス７１Ａに送風される空気は、ダクト部材８内部において下方側を流通する。
このことにより、傾斜面８１２Ｂ及び第１整流部８１３を介した後の各空気が衝突することを抑制し、各空気をトランス７１Ａに効果的に送風でき、トランス７１Ａの冷却効率を向上させることができる。
【００３８】
なお、本発明は前述の実施形態に限定されるものではなく、本発明の目的を達成できる範囲での変形、改良等は本発明に含まれるものである。
前記実施形態では、第１流路Ｒ１及び第２流路Ｒ２を形成する部材として共通のダクト本体８１を採用していたが、これに限らず、第１流路Ｒ１及び第２流路Ｒ２毎にダクトを構成しても構わない。
前記実施形態では、本発明に係る下流側回路素子としてトランス７１Ａを採用したが、これに限らず、その他の回路素子を採用しても構わない。なお、下流側回路素子としては、トランス７１Ａのように、放熱部７３に対して熱伝達可能に接続することが難しい回路素子が好ましい。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００３９】
本発明は、プレゼンテーションやホームシアター等に用いられるプロジェクターに利用できる。
【符号の説明】
【００４０】
１・・・プロジェクター、３Ａ・・・光源装置、３Ｂ・・・光変調装置、３Ｃ・・・投射レンズ（投射光学装置）、５・・・軸流ファン、６・・・光源駆動装置、７・・・電源装置、８・・・ダクト部材、７１Ａ・・・トランス（下流側回路素子）、８１２Ｂ・・・傾斜面、８１３・・・第１整流部、Ｐ・・・合流位置、Ｒ１・・・第１流路、Ｒ２・・・第２流路。
【図１】
2012008188.tif 000003
【図２】
2012008188.tif 000004
【図３】
2012008188.tif 000005
【図４】
2012008188.tif 000006
【図５】
2012008188.tif 000007